(57)【特許請求の範囲】
【請求項１】
主制御部と、この主制御部の制御の下に呼出信号の検出を行なう呼出信号検出部と、ファクシミリ通信の制御を行なうファクシミリ通信制御部と、このファクシミリ通信制御部と回線との接続制御を行なう網制御回路部と、これらに電力を供給する主電源部と、この主電源部が停止する省電力モード時に回線からの呼出信号の監視を行なう副制御部と、この副制御部に電力を供給する副電源部とを備え、省電力モード時に前記副制御部が呼出信号と思われる信号を検出した場合には、前記主電源部及び主制御部を動作させ、前記呼出信号検出部において再度呼出信号の検出を行ない、前記主制御部が呼出信号であるか否かについて判断することを特徴とするファクシミリ装置。
【請求項２】
前記主制御部が呼出信号であると判断したときには、網制御回路部を動作させてファクシミリ通信制御部を回線に接続し、ファクシミリ通信を行なうように前記主制御部が制御することを特徴とする請求項１記載のファクシミリ装置。
【請求項３】
前記副制御部は、省電力モード時にキー操作による命令信号の監視をも行なうことを特徴とする請求項１又は２記載のファクシミリ装置。
【発明の詳細な説明】
【０００１】
【発明の属する技術分野】
本発明は、省電力機能を有するファクシミリ装置に関し、特に、省電力モード時に正確に呼出信号を検出することができるファクシミリ装置に関する。
【０００２】
【従来の技術】
一般に、ファクシミリ装置は、外部からの着信に応答するために常時回線からの呼出信号を監視する必要があることから、主電源部は常に動作してしている状態にあり、装置が使用されていない状態においても約２０ワット前後の電力が消費されている。そこで、ファクシミリ装置のランニングコスト節約の観点から、装置が使用されていない時には主電源部を停止して待機するモード、すなわち省電力モードとすることにより、無駄な消費電力を削減する機能を備えたファクシミリ装置が従来より知られている。
【０００３】
このような省電力モード機能を有する従来のファクシミリ装置は、主制御部やモデム等の一般的な装置の各構成部分と、これら装置の各構成部分に電力を供給する主電源部に加えて、この主電源部が停止する省電力モード時に回線からの呼出信号の監視を行なう副制御部と、この副制御部に電力を供給する副電源部とを備えている。そして、ファクシミリ装置が送受信等のために使用されない状態が一定時間以上続いた場合には、主電源部を停止して省電力モードとし、装置の各構成部分への電力の供給を停止することにより、無駄な電力消費を抑えるとともに、外部からの着信に対しては、消費電力の少ない副制御部が動作して回線からの呼出信号の監視を行なうことにより、消費電力を削減してランニングコストを節約することができる構成となっている。
【０００４】
【発明が解決しようとする課題】
しかしながら、このような従来のファクシミリ装置においては、副制御部の消費電力は当然ながら少なく抑えるべきであり、低いクロック周波数により動作する比較的性能が低いＣＰＵが使用されている。したがって、副制御部における呼出信号の監視のための信号のサンプリング周波数も低く、例えばファクシミリ通信網による１３００Ｈｚ等の高周波数の呼出信号を正確に検出することが困難であった。そのため、呼出信号があるにも関わらず着信動作を行なわなかったり、回線からのノイズ等を呼出信号と誤って着信動作を行なったりする場合があるという問題があった。一方、副制御部として高いクロック周波数により動作するＣＰＵを使用すればこのような問題は生じないが、消費電力を抑えるという本来の目的に合致しないことになるとともに、ファクシミリ装置自体のコストが高くなる要因ともなる。
【０００５】
本発明は、上記課題に鑑みてなされたものであり、装置が使用されていない時には主電源部を停止し、副制御部により呼出信号の監視を行なう省電力モード機能を有するものであって、副制御部に低いクロック周波数によって動作するＣＰＵを用いて消費電力を低く抑えながら、高周波数の呼出信号も正確に判断してノイズ等による誤動作をなくし、正確な着信動作を行うことができるファクシミリ装置を提供することを技術課題とするものである。
【０００６】
【課題を解決するための手段】
上記技術課題を解決するための具体的手段は、次のようなものである。すなわち、請求項１に記載するファクシミリ装置は、主制御部と、この主制御部の制御の下に呼出信号の検出を行なう呼出信号検出部と、ファクシミリ通信の制御を行なうファクシミリ通信制御部と、このファクシミリ通信制御部と回線との接続制御を行なう網制御回路部と、これらに電力を供給する主電源部と、この主電源部が停止する省電力モード時に回線からの呼出信号の監視を行なう副制御部と、この副制御部に電力を供給する副電源部とを備え、省電力モード時に前記副制御部が呼出信号と思われる信号を検出した場合には、前記主電源部及び主制御部を動作させ、前記呼出信号検出部において再度呼出信号の検出を行ない、前記主制御部が呼出信号であるか否かについて判断することを特徴とするものである。
【０００７】
請求項２に記載するファクシミリ装置は、請求項１に記載する構成において、前記主制御部が呼出信号であると判断したときには、網制御回路部を動作させてファクシミリ通信制御部を回線に接続し、ファクシミリ通信を行なうように前記主制御部が制御することを特徴とするものである。
【０００８】
請求項３に記載するファクシミリ装置は、請求項１又は２に記載する構成において、前記副制御部は、省電力モード時にキー操作による命令信号の監視をも行なうことを特徴とするものである。
【０００９】
【発明の実施の形態】
以下、本発明に係るファクシミリ装置について図面に基づいて説明する。図１は、本発明の実施形態に係るファクシミリ装置１の構成を示すブロック図である。この図に示すように、本発明の実施形態に係るファクシミリ装置１は、主制御部２と、この主制御部２の制御の下に呼出信号の検出を行なう呼出信号検出部３と、ファクシミリ通信の制御を行なうファクシミリ通信制御部４と、このファクシミリ通信制御部４と回線５との接続制御を行なう網制御回路部６と、これらに電力を供給する主電源部７と、この主電源部７が停止する省電力モード時に回線５からの呼出信号の監視を行なう副制御部８と、この副制御部８に電力を供給する副電源部９とを備えている。以下更に詳細に説明する。
【００１０】
前記主制御部２は、ファクシミリ装置１の全体の動作制御を行なう部分であり、ＣＰＵ（Ｃｅｎｔｒａｌ  Ｐｒｏｃｅｓｓｉｎｇ  Ｕｎｉｔ：中央処理装置）により構成されている。主制御部２には、タイマー１０が内蔵されている。また、このファクシミリ装置１は、その機能を果たすため、以下のような本体機構部１１を有している。すなわち、ファクシミリ装置１の動作制御に必要なプログラム等が記憶されたＲＯＭ１２と、短縮ダイヤル等の使用者による設定データや予約送信等のプログラムの実行に伴って得られたデータ等を一時的に記憶するためのＲＡＭ１３と、ファクシミリ受信した画像データ及び読取部１７において読み取った画像データを一時的に記憶するための画像メモリ１４と、送受信の際に画像データの符号化及び復号を行なうコーデック（ＣＯＤＥＣ：ＣＯｄｅｒ  ａｎｄ  ＤＥＣｏｄｅｒ）１５と、ファクシミリ受信した画像データを記録紙に記録するための記録部１６と、ファクシミリ送信する画像を読み取るための読取部１７と、使用者がキー操作を行なうことにより送信先のファクシミリ番号や各種設定等の指示入力を行なうための操作部１８とである。これらは、いずれも主制御部２によりその動作を制御される。
【００１１】
前記呼出信号検出部３は、主制御部２の制御の下に呼出信号の検出を行なう部分である。すなわち、呼出信号検出部３は、回線５から網制御回路部６のトーントランス１９を介して送られてくる信号をサンプリングすることにより、呼出信号の有無を検出し、呼出信号があった場合にはその旨の信号を主制御部２に出力する。この呼出信号検出部３としては、高いクロック周波数により動作するものであってサンプリング周波数も高いものを使用する。それにより、１３００Ｈｚ等の高周波数の呼出信号を正確に判断することが可能となる。なお、ここで１３００Ｈｚの高周波数の呼出信号を用いる通信網としては、無鳴動着信や通信データ蓄積機能を特徴とする日本電信電話株式会社（ＮＴＴ）のファクシミリ通信網等が該当する。また、前記ファクシミリ通信制御部４は、主制御部２の制御の下にファクシミリ通信の制御を行なう部分である。すなわち、ファクシミリ通信制御部４は、ファクシミリ通信における手順信号の送信及び受信等を行なう。これらの呼出信号検出部３及びファクシミリ通信制御部４は、共にモデム２０内に設けられている。このモデム２０は、この他にも、ファクシミリ送信のための画像データの変調及びファクシミリ受信のための画像データの復調を行う。
【００１２】
前記網制御回路部６は、モデム２０の中に設けられたファクシミリ通信制御部４と回線５との接続制御を行なう部分である。網制御回路部６の中において、回線５は、ファクシミリ通信用のライントランス２１に接続される部分と、ファクシミリ通信網による１３００Ｈｚ等の高周波数の呼出信号を監視するためのトーントランス１９に接続される部分と、通常の電話網による１６Ｈｚ等の低周波数の呼出信号を監視するためのフォトカプラ２２に接続される部分とに分割される。そして、ライントランス２１はファクシミリ通信制御部４に接続されており、ライントランス２１の回線５側には、ファクシミリ通信制御部４と回線５との接続及び切断の切替えを行なうためのＣＭＬ（Ｃｏｎｎｅｃｔ  Ｍｏｄｅｍ  ｔｏ  Ｌｉｎｅ）リレー２３が接続される。トーントランス１９は呼出信号検出部３に接続されている。フォトカプラ２２は副制御部８に接続されている。また、トーントランス１９及びフォトカプラ２２の回線５側には、回線５からの信号の交流成分のみを通過させるためのコンデンサ２４が接続されている。
【００１３】
前記副制御部８は、主電源部７が停止する省電力モード時に、回線５からの呼出信号及びキー操作による命令信号の監視を行なう部分である。すなわち、本実施形態に係るファクシミリ装置１は、ファクシミリ送受信等によりファクシミリ装置１が使用されない状態が所定の設定時間Ｔ以上継続した場合には、主制御部２からの命令により、副制御部８を起動するとともに、主電源部７を停止して主制御部２、本体機構部１１及びモデム２０に対する電力の供給を停止することにより、無駄な電力消費を抑えて待機する省電力モードに移行する。そこで、省電力モード時には、少ない消費電力により動作することができる副制御部８が、モデム２０内に設けられた呼出信号検出部３に代わって回線５からの呼出信号の監視を行なう。また、使用者がキー操作を行なった場合にも省電力モードから復帰する必要があるので、副制御部８はキー操作による命令信号の監視も同時に行なう。これにより、待機時におけるファクシミリ装置１の消費電力を削減してランニングコストを節約することができる。
【００１４】
ここで、副制御部８はＣＰＵにより構成されている。このＣＰＵは、待機時におけるファクシミリ装置１の電力消費を少なく抑えるため、少ない消費電力により動作することができるものを使用する。したがって、通常は低いクロック周波数により動作する比較的性能が低いＣＰＵを使用することとなる。そのため、呼出信号の監視のための信号のサンプリング周波数も低く、ファクシミリ通信網による１３００Ｈｚ等の高周波数の呼出信号を正確に検出することが困難である。そこで、副制御部８は、高周波数の呼出信号と思われる信号を検出した場合には、ファクシミリ装置１を省電力モードから復帰させて呼出信号検出部３において再度呼出信号の検出を行なうことにより、ノイズ等により誤って着信動作を行なうことを防止している。この際の動作については後に詳しく説明する。また、副制御部８は、図示しないが、省電力モード時における副制御部８の動作に必要なプログラム等が記憶されたＲＯＭも有している。副制御部８における回線５からの呼出信号の監視は、トーントランス１９又はフォトカプラ２２を介して回線５から送られてくる信号を常時サンプリングして呼出信号の有無を検出することにより行なう。この際、フォトカプラ２２を介して送られてくる信号については、フォトカプラ２２においてアナログ信号からデジタル信号に変換されてくるが、トーントランス１９を介して送られてくる信号についてはアナログ信号のままであるので、更に中間にＡＤ（アナログ−デジタル）変換器２５を設けてデジタル信号に変換してから副制御部８へ送ることとしている。なお、副制御部８におけるキー操作による命令信号の監視は、操作部１８においていずれかのキー操作が行なわれたことによる命令信号の入力を常時監視することにより行なう。そして、副制御部８は、これらの呼出信号又は命令信号を検出したと判断した場合には、主電源部７を動作させて主制御部２、本体機構部１１及びモデム２０に対する電力の供給を再開し、ファクシミリ装置１を省電力モードから復帰させる。
【００１５】
前記主電源部７は、主制御部２、本体機構部１１及びモデム２０に電力を供給する部分である。このため、主電源部７は、商用電源に接続され、該交流電源の電圧の変動を整流することにより、安定した電圧の直流の電力を供給する。また、前記副電源部９は、副制御部８に電力を供給する部分である。このため、副電源部９は、主電源部７と同様に、商用電源に接続され、該交流電源の電圧の変動を整流することにより、安定した電圧の直流の電力を供給する。ただし、副制御部８の消費電力は小さいため、副電源部９により供給する電力は主電源部７により供給する電力にくらべて相当に小さいものとすることができる。
【００１６】
次に、ファクシミリ装置１が省電力モードから呼出信号又は命令信号を検出して復帰する場合の動作制御について、フローチャートに基づいて説明する。図２は、省電力モード時に副制御部８が呼出信号又は命令信号を検出した場合の動作を示すフローチャートである。図３及び図４は、副制御部８が呼出信号又は命令信号を検出したことにより省電力モードから復帰した後のファクシミリ装置１の動作を示すフローチャートである。
【００１７】
図２に示すように、省電力モード時には、副制御部８は、回線５からの呼出信号及び操作部１８におけるキー操作による命令信号の監視を常時行なっている。すなわち、まず、通常の電話網による１６Ｈｚ等の低周波数の呼出信号を検出したか否かについて判断する（Ｓ１）。この判断は、フォトカプラ２２を介して回線５から送られてくる信号を常時サンプリングして呼出信号の有無を検出することにより行なう。そして、低周波数の呼出信号を検出しない場合には（Ｓ１：ＮＯ）、次に、ファクシミリ通信網による１３００Ｈｚ等の高周波数の呼出信号を検出したか否かについて判断する（Ｓ２）。この判断は、トーントランス１９及びＡＤ変換器を介して回線５から送られてくる信号を常時サンプリングして呼出信号の有無を検出することにより行なう。前述の通り、副制御部８において高周波数の呼出信号を正確に検出することは困難であるので、ここではノイズ等の疑いがある場合も含めて高周波数の呼出信号と思われる信号を検出した場合には、高周波数の呼出信号を検出したものと判断する。そして、高周波数の呼出信号を検出しない場合には（Ｓ２：ＮＯ）、次に、操作部１８におけるキー操作による命令信号を検出したか否かについて判断する（Ｓ３）。この判断は、操作部１８においていずれかのキー操作が行なわれたことによる命令信号の入力を常時監視することにより行なう。そして、キー操作による命令信号を検出しない場合には（Ｓ３：ＮＯ）、処理はＳ１へ戻り、引き続き呼出信号及び命令信号の監視を行なう。
【００１８】
一方、低周波数の呼出信号を検出した場合（Ｓ１：ＹＥＳ）、高周波数の呼出信号を検出した場合（Ｓ２：ＹＥＳ）、及び、キー操作による命令信号を検出した場合には（Ｓ３：ＹＥＳ）、主電源部７の動作を開始させ（Ｓ４）、主制御部２、本体機構部１１及びモデム２０に対する電力の供給を再開する。その後、副制御部８から主制御部２にリセット信号を伝送する（Ｓ５）。このリセット信号により主制御部２は省電力モードから復帰して、動作を再開する。その後、副制御部８において検出した信号が、低周波数若しくは高周波数の呼出信号、又はキー操作による命令信号のいずれであるかを示す信号を内容とする復帰種別信号を主制御部２へ伝送する（Ｓ６）。これにより、副制御部８における処理は終了する。
【００１９】
前述の通り、主電源部７が動作を開始した後、主制御部２は、副制御部８からのリセット信号により省電力モードから復帰して、動作を再開する。すなわち、図３に示すように、まず主制御部２がリセットされ（Ｓ１１）、次に、副制御部８から伝送されてきた復帰種別信号の内容が呼出信号であるか否かについて判断する（Ｓ１２）。復帰種別信号の内容が呼出信号である場合には（Ｓ１２：ＹＥＳ）、次に、モデム２０内に設けられた呼出信号検出部３において再度呼出信号の検出を行なう（Ｓ１３）。そして、その結果が低周波数の呼出信号であるか否かについて判断する（Ｓ１４）。その結果が低周波数の呼出信号である場合には（Ｓ１４：ＹＥＳ）、網制御回路部６のＣＭＬリレー２３を接続側に切り替え（Ｓ１５）、ファクシミリ受信を行なう（Ｓ１６）。そして、すべての受信データを受信した後でＣＭＬリレー２３を切断側に切り替え（Ｓ１７）、ファクシミリ受信を終了する。その後、処理はＳ２３（図４）へ進む。
【００２０】
一方、呼出信号検出部３において再度呼出信号の検出を行なった結果が低周波数の呼出信号でない場合には（Ｓ１４：ＹＥＳ）、次に、その結果が高周波数の呼出信号であるか否かについて判断する（Ｓ１８）。その結果が高周波数の呼出信号でない場合（Ｓ１８：ＮＯ）には、副制御部８において検出した信号は呼出信号ではなく、ノイズ等であったと判断することができるので、ファクシミリ受信は行なわず、処理はそのままＳ２３（図４）へ進む。一方、呼出信号検出部３において再度呼出信号の検出を行なった結果が高周波数の呼出信号である場合には（Ｓ１８：ＹＥＳ）、網制御回路部６のＣＭＬリレー２３を接続側に切り替え（Ｓ１９）、ファクシミリ受信を行なう（Ｓ２０）。そして、すべての受信データを受信した後でＣＭＬリレー２３を切断側に切り替え（Ｓ２１）、ファクシミリ受信を終了する。その後、処理はＳ２３（図４）へ進む。
【００２１】
一方、復帰種別信号の内容が呼出信号でない場合には（Ｓ１２：ＮＯ）、副制御部８においてキー操作による命令信号を検出したと判断することができるので、その命令信号に従ってキー操作で指示された所定の動作を実行する（Ｓ２２）。この所定の動作が終了した後、処理はＳ２３（図４）へ進む。
【００２２】
そして、図４に示すように、処理Ｓ１７又はＳ２１においてファクシミリ受信を終了した後、又は処理Ｓ２２において所定の動作を終了した後、主電源部７が動作したまま待機する状態となり、タイマー１０の動作を開始する（Ｓ２３）。このタイマー１０は、起動後、所定の設定時間Ｔが経過した時に終了する。このタイマー１０の設定時間Ｔは、ファクシミリ装置１の使用頻度に合せて適切な時間を設定することが可能である。その状態において、主制御部２は、回線５からの呼出信号及びキー操作による命令信号の監視を行なう。すなわち、まず、呼出信号を検出したか否かについて判断する（Ｓ２４）。呼出信号を検出した場合には（Ｓ２４：ＹＥＳ）、処理はＳ１４（図３）へ戻り、ファクシミリ受信を行なう。呼出信号を検出しない場合には（Ｓ２４：ＮＯ）、次に、キー操作による命令信号を検出したか否かについて判断する（Ｓ２５）。キー操作による命令信号を検出した場合には（Ｓ２５：ＹＥＳ）、処理はＳ２２（図３）へ戻り、キー操作で指示された所定の動作を実行する。キー操作による命令信号を検出しない場合には（Ｓ２５：ＮＯ）、次にタイマー１０が終了したか否かについて判断する（Ｓ２６）。タイマー１０が終了していない場合には（Ｓ２６：ＮＯ）、処理はＳ２４へ戻る。タイマー１０が終了した場合には（Ｓ２６：ＹＥＳ）、ファクシミリ装置１が使用されない状態が所定の設定時間Ｔ以上継続したと判断することができるので、主制御部２を停止するとともに主電源部７を停止して省電力モードに移行し（Ｓ２７）、処理は終了する。
【００２３】
【発明の効果】
以上説明したように、本発明の請求項１に係るファクシミリ装置によれば、省電力モード時に副制御部が呼出信号と思われる信号を検出した場合には、主電源部及び主制御部を動作させ、呼出信号検出部において再度呼出信号の検出を行ない、主制御部が呼出信号であるか否かについて判断することにより、副制御部に低いクロック周波数によって動作するＣＰＵを用いて省電力モード時の消費電力を低く抑えながら、高周波数の呼出信号については主制御部が正確に判断してノイズ等による誤動作をなくし、正確な着信動作を行うことができる。
【００２４】
本発明の請求項２に係るファクシミリ装置によれば、上述の効果に加えて、主制御部が呼出信号であると判断したときには、網制御回路部を動作させてファクシミリ通信制御部を回線に接続し、ファクシミリ通信を行なうように主制御部が制御することにより、省電力モードから復帰してすぐにファクシミリ受信動作を行なうことができる。
【００２５】
本発明の請求項３に係るファクシミリ装置によれば、上述の効果に加えて、副制御部が、省電力モード時にキー操作による命令信号の監視も行なうことにより、使用者が操作部においてキー操作をした場合にも省電力モードからすぐに復帰させることができる。
【図面の簡単な説明】
【図１】本発明の実施形態に係るファクシミリ装置の構成を示すブロック図である。
【図２】本発明の実施形態に係るファクシミリ装置において、省電力モード時に副制御部が呼出信号又は命令信号を検出した場合の動作を示すフローチャートである。
【図３】本発明の実施形態に係るファクシミリ装置において、副制御部が呼出信号又は命令信号を検出したことにより省電力モードから復帰した後のファクシミリ装置の動作を示すフローチャートの前半部分である。
【図４】本発明の実施形態に係るファクシミリ装置において、副制御部が呼出信号又は命令信号を検出したことにより省電力モードから復帰した後のファクシミリ装置の動作を示すフローチャートの後半部分である。
【符号の説明】
１  ファクシミリ装置
２  主制御部
３  呼出信号検出部
４  ファクシミリ通信制御部
５  回線
６  網制御回路部
７  主電源部
８  副制御部
９  副電源部
１０  タイマー
１１  本体機構部
１８  操作部
１９  トーントランス
２０  モデム
２１  ライントランス
２２  フォトカプラ
２３  ＣＭＬリレー
【図１】
0003613183.tif 000002
【図２】
0003613183.tif 000003
【図３】
0003613183.tif 000004
【図４】
0003613183.tif 000005